(57)【要約】  プログラマブル表示器は、表示画面（１１ａ）を有する表示部（１１）と、外部接続機器（１）及び表示画面（１１ａ）に表示させる画面情報（２）を作成する作画装置と、通信するための通信部（１３）と、外部接続機器（１）を操作する操作情報と、画面情報（２）についての付加情報とを入力可能な入力部（１２）と、入力部（１２）で入力される操作情報に基づいて外部接続機器（１）を操作する操作モードと、付加情報の画像を画面情報（２）に重ねた状態で表示画面（１１ａ）に表示させる付加モードとを行う制御部（１４）とを備える。
2017208454.tif 000002
【特許請求の範囲】
【請求項１】
表示画面を有する表示部と、
外部接続機器、及び前記表示画面に表示させる画面情報を作成する作画装置と、通信するための通信部と、
前記外部接続機器を操作する操作情報と、前記画面情報についての付加情報とを入力可能な入力部と、
前記画面情報の画像を前記表示画面に表示させ、前記入力部で入力される前記操作情報に基づいて前記外部接続機器を操作する操作モードと、前記付加情報の画像を前記画面情報に重ねた状態で前記表示画面に表示させる付加モードとを行う制御部と
を備えることを特徴とするプログラマブル表示器。
【請求項２】
前記制御部は、前記付加モードでは、予め前記画面情報に付加された前記付加情報の画像及び前記入力部で入力された前記付加情報の画像のうち少なくとも一方を前記表示画面に表示させる
ことを特徴とする請求項１に記載のプログラマブル表示器。
【請求項３】
前記制御部は、前記付加モードでは、前記入力部で入力された前記付加情報を新規に作成すること及び予め前記画面情報に付加された前記付加情報を編集することのうち少なくとも一方を行う
ことを特徴とする請求項１又は請求項２に記載のプログラマブル表示器。
【請求項４】
情報を記憶する記憶部をさらに備え、
前記記憶部は、前記画面情報と前記画面情報について付加された前記付加情報とを記憶する
ことを特徴とする請求項１から請求項３のいずれか一項に記載のプログラマブル表示器。
【請求項５】
請求項１から請求項４のいずれか一項に記載のプログラマブル表示器と、
前記プログラマブル表示器との間で互いに通信可能であり、前記表示画面に表示させる前記画面情報を作成する作画装置と、を備え、
前記作画装置は、
前記画面情報を表示可能な作画側表示画面を有する作画側表示部と、
前記付加情報の画像を前記画面情報に重ねた状態で前記作画側表示画面に表示させる作画側制御部と、を有する
ことを特徴とする画面表示システム。
【請求項６】
前記制御部は、前記付加モードでは、予め前記画面情報に付加された前記付加情報の画像、前記入力部で入力された前記付加情報の画像、及び前記作画装置から受信した前記画面情報に付加された前記付加情報の画像のうち少なくとも一方を前記表示画面に表示させる
ことを特徴とする請求項５に記載の画面表示システム。
【請求項７】
前記作画側制御部は、予め前記画面情報に付加された前記付加情報の画像及び前記プログラマブル表示器から受信した前記画面情報に付加された前記付加情報の画像のうち少なくとも一方を前記表示画面に表示させる
ことを特徴とする請求項５又は請求項６に記載の画面表示システム。
【請求項８】
表示画面を有する表示部と、
外部接続機器、及び前記表示画面に表示させる画面情報を作成する作画装置と、通信するための通信部と、
前記外部接続機器を操作する操作情報と、前記画面情報についての付加情報とを入力可能な入力部と、を備えるプログラマブル表示器の制御方法であって、
前記画面情報の画像を前記表示画面に表示させ、前記入力部で入力される前記操作情報に基づいて前記外部接続機器を操作することと、
前記付加情報の画像を前記画面情報に重ねた状態で前記表示画面に表示させることと、
を含むことを特徴とするプログラマブル表示器の制御方法。
【発明の詳細な説明】
【技術分野】
【０００１】
本発明は、生産現場で用いられる外部接続機器の操作及び運転情報の表示を行うプログラマブル表示器、画面表示システム、及びプログラマブル表示器の制御方法に関する。
【背景技術】
【０００２】
プログラマブル表示器は、生産現場で用いられる外部接続機器に接続され、当該外部接続機器の情報の表示、及び外部接続機器の操作を行う。プログラマブル表示器は、表示画面を有する表示部を備えている。表示部は、画像及び文字列を含む画面情報を表示画面に表示する。画面情報は、作画装置によって作成される。プログラマブル表示器は、作画装置との間で通信を行う通信部を備えている。プログラマブル表示器は、作画装置によって作成された画面情報を通信部によって受信し、受信した画面情報を表示部に表示する。【０００３】
作画装置によって画面情報を作成する作成者と、プログラマブル表示器を操作する操作者とが異なる場合、作成者から操作者への作業手順の説明、及び操作者から作成者への画面情報の改善要望を含む情報の伝達が必要になる。また、プログラマブル表示器の操作者が複数存在する場合には、操作者同士の間で情報の伝達が必要になる。同様に、画面情報の作成者が複数存在する場合には、作成者同士の間で情報の伝達が必要になる。【０００４】
従来、操作者と作成者の間、操作者同士の間、及び作成者同士の間で情報の伝達を行う場合には、表示画面に表示される画像を添付し、画像に注釈を書き加えた書類を作成している。しかしながら、書類の作成には手間が掛かってしまうため、作業負担を低減化することができる情報伝達の方法が求められている。特許文献１には、電力系統事故復旧支援装置から電力系統の運用者に復旧手順が送信された場合に、運用者は、ＣＲＴ（Ｃａｔｈｏｄｅ  Ｒａｙ  Ｔｕｂｅ）装置に表示された復旧手順を確認し、必要に応じて手入力装置によって電力系統事故復旧支援装置に修正要求を送信する技術が示されている。
【先行技術文献】
【特許文献】
【０００５】
【特許文献１】特開平６−３２７１５８号公報
【発明の概要】
【発明が解決しようとする課題】
【０００６】
特許文献１に記載の手法は、電力系統事故復旧支援装置と運用者との間で情報の伝達を行うことは可能であるが、ＣＲＴ装置には画像に注釈を書き加えた状態の情報を表示させることが困難となる可能性がある。【０００７】
本発明は、上記に鑑みてなされたものであって、付加情報が付加された状態の画像を表示することが可能であり、複数の作業者の間で情報伝達に要する負担を低減化することが可能なプログラマブル表示器、画面表示システム、及びプログラマブル表示器の制御方法を提供することを目的とする。
【課題を解決するための手段】
【０００８】
上述した課題を解決し、目的を達成するために、本発明は、表示画面を有する表示部と、外部接続機器、及び表示画面に表示させる画面情報を作成する作画装置と、通信するための通信部と、外部接続機器を操作する操作情報と、画面情報についての付加情報とを入力可能な入力部とを備える。また、本発明は、画面情報の画像を表示画面に表示させ、入力部で入力される操作情報に基づいて外部接続機器を操作する操作モードと、付加情報の画像を画面情報に重ねた状態表示画面に表示させる付加モードとを行う制御部とを備える。
【発明の効果】
【０００９】
本発明によれば、画像に付加情報が付加された状態で情報を表示することが可能であり、複数の作業者の間で情報伝達に要する負担を低減化することが可能なプログラマブル表示器、画面表示システム、及びプログラマブル表示器の制御方法を提供できる。
【図面の簡単な説明】
【００１０】
【図１】実施の形態１に係るプログラマブル表示器を示すブロック図
【図２】実施の形態１に係る画面情報及び付加情報を示すブロック図
【図３】実施の形態１に係る制御部を示すブロック図
【図４】実施の形態１に係る付加制御部を示すブロック図
【図５】実施の形態１に係る制御部のハードウェア構成を示す図
【図６】実施の形態１に係る制御部のハードウェア構成を示す図
【図７】実施の形態１に係るプログラマブル表示器の動作を示すフローチャート
【図８】実施の形態１に係るプログラマブル表示器の表示画面の表示内容を示す図
【図９】実施の形態１に係るプログラマブル表示器の表示画面の表示内容を示す図
【図１０】実施の形態１に係るプログラマブル表示器の動作を示すフローチャート
【図１１】実施の形態１に係るプログラマブル表示器の表示画面の表示内容を示す図
【図１２】実施の形態１に係るプログラマブル表示器の動作を示すフローチャート
【図１３】実施の形態１に係るプログラマブル表示器の表示画面の表示内容を示す図
【図１４】実施の形態２に係る作画装置を示すブロック図
【図１５】実施の形態２に係る制御部を示すブロック図
【図１６】実施の形態２に係る付加制御部を示すブロック図
【図１７】実施の形態２に係る制御部のハードウェア構成を示す図
【図１８】実施の形態２に係る制御部のハードウェア構成を示す図
【図１９】実施の形態２に係る作画装置の動作を示すフローチャート
【図２０】実施の形態２に係る作画装置の表示画面の表示内容を示す図
【図２１】実施の形態２に係る作画装置の表示画面の表示内容を示す図
【図２２】実施の形態２に係る作画装置の表示画面の表示内容を示す図
【図２３】実施の形態２に係る作画装置の表示画面の表示内容を示す図
【図２４】実施の形態３に係る画面表示システムを示すブロック図
【図２５】実施の形態３に係る画面表示システムの動作の流れを示す図
【図２６】変形例に係るプログラマブル表示器の表示画面の表示内容を示す図
【図２７】変形例に係るプログラマブル表示器の表示画面の表示内容を示す図
【発明を実施するための形態】
【００１１】
以下に、本発明の実施の形態に係るプログラマブル表示器、画面表示システム、及びプログラマブル表示器の制御方法を図面に基づいて詳細に説明する。なお、この実施の形態によりこの発明が限定されるものではない。
【００１２】
実施の形態１．
図１は、実施の形態１に係るプログラマブル表示器１０を示す機能ブロック図である。図１に示すように、プログラマブル表示器１０は、各種情報を表示する表示部１１と、各種入力を行う入力部１２と、外部機器との間で通信を行う通信部１３と、表示部１１、入力部１２及び通信部１３の各部を制御する制御部１４と、各種情報を記憶する記憶部１５と、を備えている。
【００１３】
表示部１１は、文字及び画像を含む各種情報を表示する表示パネルを有する。表示パネルには、液晶パネルを用いることができるが、これに限定するものではなく、他の表示パネルを用いてもよい。表示部１１は、表示画面１１ａを有する。表示画面１１ａは、外部接続機器１から得られる情報、作画装置２０によって作成された画面情報、及び画面情報についての付加情報を表示可能である。なお、外部接続機器１は、生産現場で用いられる産業機器の制御装置であるプログラマブルロジックコントローラ（ＰＬＣ：Ｐｒｏｇｒａｍａｂｌｅ  Ｌｏｇｉｃ  Ｃｏｎｔｒｏｌｌｅｒ）を含む。
【００１４】
図２は、実施の形態１に係る画面情報２及び付加情報３を示すブロック図である。図２に示すように、画面情報２は、各種操作を行うための操作用の画面データ２ａ、各種設定を行うための設定用の画面データ２ｂ、及び画面データ上のオブジェクトデータ２ｃを含む。画面データ２ａは、外部接続機器１を操作する際に基本画面となる画像データを含む。オブジェクトデータ２ｃは、各種操作を行うためのボタン、レバー、ダイヤル、スイッチ又は他の入力装置の画像データを含む。
【００１５】
付加情報３は、操作用の画面データ２ａ上に表示される注釈３ａの画像データ、設定用の画面データ２ｂ上に表示される注釈３ｂの画像データ、及びオブジェクトデータ２ｃ上に表示される注釈３ｃの画像データを含む。注釈３ａ，３ｂ，３ｃには、画面情報２の作成者からプログラマブル表示器１０の操作者への作業手順の説明、プログラマブル表示器１０の操作者から画面情報２の作成者への画面情報２の改善要望、画面情報２の作成者から他の作成者への注意点、及びプログラマブル表示器１０の操作者から他の操作者への注意点を含む情報が含まれる。注釈３ａ，３ｂ，３ｃに含まれる情報は、上記に限定するものではなく、静止画又は動画であってもよいし、他の情報が含まれてもよい。
【００１６】
図２に示すように、記憶部１５は、画面情報２と、画面情報２についての付加情報３とを１対１に対応付けた状態で記憶する。記憶部１５は、画面情報２と、画面情報２についての付加情報３とが１つのデータに結合された状態で記憶してもよい。また、記憶部１５は、画面情報２についての付加情報３を、画面情報２の一部に含めた状態で記憶させてもよい。また、記憶部１５は、付加情報３と、表示画面１１ａでの注釈３ａ，３ｂ，３ｃの表示位置を示す位置情報と対応付けた状態で記憶する。
【００１７】
図１に示す入力部１２は、入力装置を有する。入力装置には、タッチパネルを用いることができるが、これに限定するものではなく、ボタン、レバー、ダイヤル、スイッチ又は他の入力装置が用いられてもよい。入力部１２は、外部接続機器を操作する場合に用いることができ、外部接続機器１を操作する操作情報を入力可能である。また、入力部１２は、付加情報を入力可能である。
【００１８】
通信部１３は、外部接続機器１及び作画装置２０との間で通信可能なインターフェースである。通信部１３は、イーサネット（登録商標）又はＵＳＢ（Ｕｎｉｖｅｒｓａｌ  Ｓｅｒｉａｌ  Ｂｕｓ）の少なくとも一方を有しているが、これに限定するものではなく、他の種類の通信アーキテクチャを有していてもよい。
【００１９】
制御部１４は、プログラマブル表示器１０の動作を制御する。図３は、実施の形態１に係る制御部１４を示すブロック図である。図３に示すように、制御部１４は、表示部１１を制御する表示制御部１６と、入力部１２を制御する入力制御部１７と、通信部１３を制御する通信制御部１８と、付加情報の表示、作成、編集についての制御を行う付加制御部１９とを有している。
【００２０】
図４は、実施の形態１に係る付加制御部１９を示すブロック図である。図４に示すように、付加制御部１９は、モード設定部１９ａと、付加情報検出部１９ｂと、付加情報表示指令部１９ｃと、付加情報処理部１９ｄとを有している。モード設定部１９ａは、プログラマブル表示器１０の動作モードを操作モードと付加モードとで切り替えて設定する。操作モードは、表示画面１１ａに表示された画面データに基づいて外部接続機器１を操作するモードである。付加モードは、表示画面１１ａに付加情報を表示させるモードである。プログラマブル表示器１０は、操作モードでは、外部接続機器１の操作及び監視を行うことが可能である。プログラマブル表示器１０は、付加モードでは、付加情報の表示、付加情報の新規作成及び既存の付加情報の編集を行うことが可能である。
【００２１】
付加情報検出部１９ｂは、記憶部１５に付加情報が記憶されているか否かを検出し、検出結果を出力する。また、付加情報検出部１９ｂは、記憶部１５に記憶された付加情報が編集されているか否かを検出し、検出結果を出力する。
【００２２】
付加情報表示指令部１９ｃは、付加情報を表示画面１１ａに表示させる動作を制御する。付加情報表示指令部１９ｃは、プログラマブル表示器１０の動作モードが付加モードであり、記憶部１５に付加情報が記憶されている場合、記憶された付加情報を表示画面１１ａに表示させる旨の指令を表示制御部１６に送信する。付加情報表示指令部１９ｃは、付加情報３の画像を表示画面１１ａに表示させる場合、画面情報２に重ねた状態で表示させる旨の指令を表示制御部１６に送信する。
【００２３】
付加情報処理部１９ｄは、プログラマブル表示器１０の動作モードが付加モードである場合、入力部１２での入力結果に基づいて、付加情報の新規作成処理及び編集処理を行う作成編集用プログラムを起動させる。作成編集用プログラムは、新規に付加情報を作成する場合、付加情報である注釈の種類、注釈の内容、及び注釈を表示させる表示位置を含む情報を操作者に入力させ、付加情報の作成完了指示を操作者に入力させる内容とすることができるが、これに限定するものではなく、他の内容であってもよい。また、作成編集用プログラムは、既存の付加情報を編集する場合、編集の対象となる付加情報、編集の種類、編集の内容、編集した注釈を表示させる表示位置を含む情報を操作者に入力させ、付加情報の編集完了指示を操作者に入力させる内容とすることができるが、これに限定するものではなく、他の内容であってもよい。作成編集用プログラムは、予め記憶部１５に記憶させておく。
【００２４】
付加情報処理部１９ｄは、新規作成及び編集した付加情報を記憶部１５に記憶させる。付加情報３の編集は、付加情報３の変更及び削除を含む。付加情報処理部１９ｄは、付加情報３を変更した場合、変更された内容の付加情報３を既存の付加情報に上書きして記憶部１５に記憶させる。付加情報処理部１９ｄは、付加情報３を削除した場合、既存の付加情報を記憶部１５から消去させる。付加情報処理部１９ｄは、画面情報２と画面情報２に付加する付加情報３とを、１つのデータに結合した状態で記憶部１５に記憶させてもよい。また、付加情報処理部１９ｄは、画面情報２に付加する付加情報３を、画面情報２の一部に含めた状態で記憶部１５に記憶させてもよい。
【００２５】
表示制御部１６、入力制御部１７、通信制御部１８及び付加制御部１９の各機能は、制御部１４により実現される。制御部１４は、メモリに格納されるプログラムを実行するＣＰＵ（Ｃｅｎｔｒａｌ  Ｐｒｏｃｅｓｓｉｎｇ  Ｕｎｉｔ）を備える制御回路であってもよいし、専用のハードウェアであってもよい。
【００２６】
図５は、実施の形態１に係る制御部１４のハードウェア構成を示す図である。制御部１４は、図５に示すように、ＣＰＵ１４Ａと、メモリ１４Ｂとを備える制御回路１４Ｃによって実現することができる。この場合、表示制御部１６、入力制御部１７、通信制御部１８及び付加制御部１９の機能は、ソフトウェア、ファームウェア、またはソフトウェアとファームウェアとの組み合わせにより実現される。ソフトウェアやファームウェアはプログラムとして記述され、メモリ１４Ｂに格納される。ＣＰＵ１４Ａは、メモリ１４Ｂに記憶されたプログラムを読み出して実行することにより、各部の機能を実現する。すなわち、メモリ１４Ｂは、ＣＰＵ１４Ａが、入力部１２から入力される操作情報に基づいて外部接続機器を操作する操作モードと、付加情報３の画像を画面情報２の画像に重ねた状態で表示画面１１ａに表示させる付加モードとを行う動作が結果的に実行されることになるプログラムを格納する。メモリ１４Ｂは、記憶部１５を含む。ここで、メモリ１４Ｂとは、不揮発性又は揮発性の半導体メモリ、磁気ディスク、フレキシブルディスク、光ディスク、コンパクトディスク、ミニディスク及びＤＶＤ（Ｄｉｇｉｔａｌ  Ｖｅｒｓａｔｉｌｅ  Ｄｉｓｃ）のうち少なくとも１つが該当する。
【００２７】
図６は、実施の形態１に係る制御部１４を専用のハードウェアで実現する場合のハードウェア構成を示す図である。制御部１４は、図６に示す処理回路１４Ｄによって実現することもできる。処理回路１４Ｄは、単一回路、プログラム化したプロセッサー、並列プログラム化したプロセッサー、ＡＳＩＣ、ＦＰＧＡ、又はこれらを組み合わせたものが該当する。表示制御部１６、入力制御部１７、通信制御部１８及び付加制御部１９の各機能を個別の処理回路で実現してもよいし、各部の機能をまとめて処理回路１４Ｄで実現してもよい。
【００２８】
図７は、実施の形態１に係るプログラマブル表示器１０の動作を示すフローチャートである。プログラマブル表示器１０を起動させた場合、モード設定部１９ａは、プログラマブル表示器１０の動作モードを操作モードに設定する。この場合、表示制御部１６は、画面情報である操作用の画面データ２ａ及びオブジェクトデータ２ｃを表示部１１の表示画面１１ａに表示させる（ステップＳ０１）。
【００２９】
図８は、実施の形態１に係るプログラマブル表示器１０の表示画面１１ａの表示内容を示す図である。図８に示すように、表示画面１１ａには、画面情報２である画面データ２ａの画像と、オブジェクトデータ２ｃの画像とが表示される。操作者は、表示画面１１ａに表示された画面情報２の画像を確認することが可能となり、入力部１２で外部接続機器１の操作情報を入力することが可能となる。
【００３０】
次に、図７に示すように、モード設定部１９ａは、操作者によりプログラマブル表示器１０の動作モードを操作モードから付加モードに切り替える旨の操作情報が入力されたか否かを判断する（ステップＳ０２）。プログラマブル表示器１０の動作モードを付加モードに切り替える旨の操作情報が入力されない場合（ステップＳ０２のＮｏ）、モード設定部１９ａは、入力があるまでステップＳ０２を繰り返し行う。
【００３１】
プログラマブル表示器１０の動作モードを付加モードに切り替える旨の操作情報が入力された場合（ステップＳ０２のＹｅｓ）、モード設定部１９ａは、プログラマブル表示器１０の動作モードを操作モードから付加モードに切り替える設定を行う（ステップＳ０３）。ステップＳ０３では、入力制御部１７は、外部接続機器１の操作情報を入力する機能を停止させる。この場合、入力部１２では、付加情報の表示、付加情報の新規作成、既存の付加情報の編集、及び動作モードの切り替えについての操作が可能となる。
【００３２】
プログラマブル表示器１０の動作モードが付加モードに切り替わった場合、付加情報検出部１９ｂは、表示画面１１ａに表示された画面情報２に付加される付加情報３を検索キーに設定して記憶部１５を検索し、記憶部１５に付加情報３が記憶されているか否かを確認する（ステップＳ０４）。付加情報検出部１９ｂによって付加情報３が記憶部１５に記憶されていることが確認された場合（ステップＳ０４のＹｅｓ）、付加情報表示指令部１９ｃは、記憶部１５に記憶される付加情報３を表示画面１１ａに表示する旨の指令を表示制御部１６に出力する。表示制御部１６は、付加情報表示指令部１９ｃからの指令に基づいて、付加情報３を表示画面１１ａに表示させる（ステップＳ０５）。ステップＳ０５では、表示制御部１６は、付加情報３の位置情報に基づいて表示画面１１ａでの付加情報３の画像の表示位置を設定し、画面情報２に重ねた状態で表示させる。また、付加情報検出部１９ｂによって付加情報３が記憶部１５に記憶されていないと確認された場合（ステップＳ０４のＮｏ）、表示制御部１６は、ステップＳ０５の動作を省略する。
【００３３】
図９は、実施の形態１に係るプログラマブル表示器１０の表示画面１１ａの表示内容を示す図である。図９に示すように、表示画面１１ａには、付加情報３である注釈３ａの画像が画面データ２ａの画像上に重ねた状態で表示されている。また、表示画面１１ａには、付加情報３である注釈３ｃの画像が画面データ２ａ及びオブジェクトデータ２ｃの画像上に重ねた状態で表示されている。操作者は、表示画面１１ａに表示された注釈３ａ，３ｃの画像を確認することが可能となる。操作者は、注釈３ａ，３ｃの画像を確認することにより、注釈３ａ，３ｃに記載された情報を確認することができる。
【００３４】
次に、付加情報検出部１９ｂは、図７に示すように、付加情報３の画像が表示された場合、又は付加情報３が記憶部１５に記憶されていないと確認された場合には、新規に作成された付加情報３が記憶部１５に記憶されたか否か、及び既存の付加情報３が編集されたか否かを確認する（ステップＳ０６）。付加情報３が新規に作成された場合、及び既存の付加情報３が編集された場合の少なくとも一方の場合（ステップＳ０６のＹｅｓ）、付加情報表示指令部１９ｃは、新規に作成された付加情報３の画像及び編集された付加情報３の画像を表示画面１１ａに表示する旨の指令を表示制御部１６に出力する。表示制御部１６は、付加情報表示指令部１９ｃからの指令に基づいて、付加情報３の画像を表示画面１１ａに表示させる（ステップＳ０７）。ステップＳ０７により、作成結果及び編集結果が表示画面１１ａに反映される。
【００３５】
ここで、付加情報３を新規に作成する場合の手順を説明する。図１０は、実施の形態１に係るプログラマブル表示器１０の動作を示すフローチャートである。図１０に示すように、付加モードでは、付加情報処理部１９ｄは、操作者によって付加情報３を新規に作成する旨の操作指示が入力部１２から入力されたか否かを検出する（ステップＳ１１）。付加情報３を新規に作成する旨の操作指示が入力されない場合（ステップＳ１１のＮｏ）、付加情報処理部１９ｄは、付加情報３を新規に作成する旨の操作指示が入力されるまでステップＳ１１を繰り返し行う。
【００３６】
付加情報３を新規に作成する旨の操作指示が入力されたことを検出した場合（ステップＳ１１のＹｅｓ）、付加情報処理部１９ｄは、記憶部１５に記憶された付加情報の作成編集用プログラムを起動させる。操作者は、作成編集用プログラムに従って付加情報３を新規に作成する。入力部１２から注釈の種類、注釈の内容、及び注釈を表示させる表示位置を含む情報が入力され、付加情報３の作成完了指示が入力された場合、付加情報処理部１９ｄは、入力された内容に基づいて付加情報３の作成を行う（ステップＳ１２）。付加情報処理部１９ｄは、付加情報３を作成した後、作成した付加情報３を記憶部１５に記憶させる（ステップＳ１３）。
【００３７】
ステップＳ１３により新規に作成された付加情報３が記憶部１５に記憶された場合、図７に示すステップＳ０６では、付加情報検出部１９ｂは、新規に作成された付加情報３が記憶部１５に記憶されたことを確認し（ステップＳ０６のＹｅｓ）、新規に作成された付加情報３の画像を表示画面１１ａに表示する旨の指令を表示制御部１６に出力する。表示制御部１６は、付加情報表示指令部１９ｃからの指令に基づいて、付加情報３の画像を表示画面１１ａに表示させる（ステップＳ０７）。ステップＳ０７により、作成された付加情報３が表示画面１１ａに反映される。
【００３８】
図１１は、実施の形態１に係るプログラマブル表示器１０の表示画面１１ａの表示内容を示す図である。図１１に示すように、表示画面１１ａには、ステップＳ０５で表示された注釈３ａ，３ｃに加えて、新規に作成した付加情報３である注釈３ｃの画像がオブジェクトデータ２ｃの画像上に重ねた状態で表示される。
【００３９】
次に、既存の付加情報３を編集する場合の手順を説明する。図１２は、実施の形態１に係るプログラマブル表示器１０の動作を示すフローチャートである。図１２に示すように、付加モードでは、付加情報処理部１９ｄは、操作者によって既存の付加情報３を編集する旨の操作指示が入力部１２から入力されたか否かを検出する（ステップＳ２１）。付加情報３を編集する旨の操作指示が入力されない場合（ステップＳ２１のＮｏ）、付加情報処理部１９ｄは、付加情報３を編集する旨の操作指示が入力されるまでステップＳ２１を繰り返し行う。
【００４０】
付加情報３を編集する旨の操作指示が入力された場合（ステップＳ２１のＹｅｓ）、付加情報処理部１９ｄは、記憶部１５に記憶された付加情報の作成編集用プログラムを起動させる。操作者は、作成編集用プログラムに従って付加情報を編集する。入力部１２から編集の対象となる付加情報、編集の種類、編集の内容、編集した注釈を表示させる表示位置を含む情報が入力され、付加情報の編集完了指示が入力された場合、付加情報処理部１９ｄは、入力された内容に基づいて付加情報３の編集を行う（ステップＳ２２）。付加情報処理部１９ｄは、付加情報３を編集した後、編集後の付加情報３を記憶部１５に記憶させる（ステップＳ２３）。
【００４１】
ステップＳ２３により編集された付加情報３が記憶部１５に記憶された場合、図７に示すステップＳ０６では、付加情報検出部１９ｂは、編集された付加情報３が記憶部１５に上書きされて記憶されたことを確認し（ステップＳ０６のＹｅｓ）、編集後の付加情報３の画像を表示画面１１ａに表示する旨の指令を表示制御部１６に出力する。表示制御部１６は、付加情報表示指令部１９ｃからの指令に基づいて、編集後の付加情報３の画像を表示画面１１ａに表示させる（ステップＳ０７）。ステップＳ０７により、編集結果が表示画面１１ａに反映される。
【００４２】
図１３は、実施の形態１に係るプログラマブル表示器１０の表示画面１１ａの表示内容を示す図である。図１３に示すように、表示画面１１ａには、ステップＳ０５で表示された注釈３ａ，３ｃのうち、注釈３ａが変更され、注釈３ｃが削除された状態が示されている。注釈３ｃが削除されることにより、画面データ２ａの画像及びオブジェクトデータ２ｃの画像のうち注釈３ｃの画像に隠れていた部分が再び表示されている。
【００４３】
次に、モード設定部１９ａは、図７に示すように、新規に作成された付加情報３及び編集された付加情報３のいずれも確認されない場合（ステップＳ０６のＮｏ）、又は新規作成若しくは編集された付加情報３が表示された場合、付加モードを終了する旨の操作情報が入力部１２から入力されたか否かの判断を行う（ステップＳ０８）。付加モードを終了する旨の操作情報が入力されない場合（ステップＳ０８のＮｏ）、制御部１４は、ステップＳ０６以降の処理を繰り返し行う。
【００４４】
付加モードを終了する旨の操作情報が入力された場合（ステップＳ０８のＹｅｓ）、付加情報表示指令部１９ｃは、表示画面１１ａに表示されている付加情報３の画像を非表示にする旨の指令を表示制御部１６に出力する。表示制御部１６は、付加情報表示指令部１９ｃからの指令に基づいて、表示画面１１ａに表示されている付加情報３の画像を非表示にする（ステップＳ０９）。
【００４５】
付加情報３を非表示にした後、モード設定部１９ａは、プログラマブル表示器１０の動作モードを付加モードから操作モードに切り替える設定を行う（ステップＳ１０）。ステップＳ１０では、入力制御部１７は、付加情報の表示、付加情報の新規作成及び既存の付加情報の編集についての操作情報を入力する機能を停止させる。また、入力制御部１７は、外部接続機器１の操作情報を入力する機能を使用可能とする。この場合、入力部１２では、外部接続機器１の操作情報を入力することが可能となる。
【００４６】
その後、プログラマブル表示器１０の他の操作者が動作モードを付加モードに切り替えた場合、上記によって新規作成又は編集された付加情報３が表示画面１１ａに表示される。他の操作者は、付加情報３を確認することにより、付加情報３を新規作成又は編集した操作者からの情報を知ることができる。
【００４７】
以上のように、実施の形態１に係るプログラマブル表示器１０は、画面情報２の画像を表示画面１１ａに表示させ、入力部１２で入力される操作情報に基づいて外部接続機器１を操作する操作モードと、付加情報３の画像を画面情報２に重ねた状態で表示画面１１ａに表示させる付加モードとを行う。このため、付加情報３が付加された状態の画像を表示画面１１ａに表示することが可能となる。したがって、プログラマブル表示器１０を操作する操作者が表示画面１１ａに表示される付加情報３を確認することにより、操作者への情報の伝達が達成される。これにより、操作者は、他の操作者又は画面情報２を作成する作成者に情報を伝達する場合、画像に注釈を書き加えた書類を作成する手間を省くことができるため、情報伝達に要する負担を低減化することが可能となる。
【００４８】
実施の形態２．
図１４は、実施の形態２に係る作画装置２０を示すブロック図である。実施の形態２では、画面情報２に付加する付加情報３を作画装置２０で表示、作成及び編集する場合について説明する。図１４に示すように、作画装置２０は、各種情報を表示する作画側表示部である表示部２１と、各種入力を行う入力部２２と、プログラマブル表示器１０との間で通信を行う通信部２３と、表示部２１、入力部２２及び通信部２３の各部を制御する作画側制御部である制御部２４と、各種情報を記憶する記憶部２５と、を備えている。作画装置２０は、パーソナルコンピュータであるが、これに限定するものではなく、他の情報処理装置であってもよい。
【００４９】
表示部２１は、文字及び画像を含む各種情報を表示する表示パネルを有する。表示パネルには、液晶パネルを用いることができるが、これに限定するものではなく、他の表示パネルを用いてもよい。表示部２１は、表示画面２１ａを有する。表示画面２１ａは、作画装置２０によって画面情報２を作成するための作成画面を表示可能である。また、表示画面２１ａは、画面情報２に付加する付加情報３を表示可能である。
【００５０】
入力部２２は、入力装置を有する。入力装置には、キーボード及びマウスを用いることができるが、これに限定するものではなく、タッチパネル、ボタン、レバー、ダイヤル、スイッチ又は他の入力装置が用いられてもよい。入力部２２は、画面情報２を作成する場合、及び付加情報３を作成及び編集する場合に用いることができる。
【００５１】
通信部２３は、プログラマブル表示器１０との間で通信可能なインターフェースである。通信部２３は、イーサネット（登録商標）又はＵＳＢの少なくとも一方の通信アーキテクチャを有しているが、これに限定するものではなく、他の種類の通信アーキテクチャを有していてもよい。
【００５２】
制御部２４は、作画装置２０の動作を制御する。図１５は、実施の形態２に係る制御部２４を示すブロック図である。図１５に示すように、制御部２４は、表示部２１を制御する表示制御部２６と、入力部２２を制御する入力制御部２７と、通信部２３を制御する通信制御部２８と、付加情報の表示、作成、編集についての制御を行う付加制御部２９とを有している。
【００５３】
図１６は、実施の形態２に係る付加制御部２９を示すブロック図である。図１６に示すように、付加制御部２９は、モード設定部２９ａと、付加情報検出部２９ｂと、付加情報表示指令部２９ｃと、付加情報処理部２９ｄとを有している。モード設定部２９ａは、作画装置２０の動作モードを作成モードと付加モードとで切り替えて設定する。作成モードは、画面情報２の作成及び編集を行うモードである。作画装置２０は、作成モードでは、画面情報２の作成及び編集を行うことが可能である。
【００５４】
また、付加モードは、表示画面２１ａに付加情報を表示させるモードである。作画装置２０は、付加モードでは、付加情報の表示、付加情報の新規作成及び既存の付加情報の編集を行うことが可能である。作画装置２０は、付加モードでは、実施の形態１に係るプログラマブル表示器１０と同様の動作を行う。
【００５５】
図１６に示す付加情報検出部２９ｂは、記憶部２５に付加情報が記憶されているか否かを検出し、検出結果を出力する。また、付加情報検出部２９ｂは、記憶部２５に記憶された付加情報が編集されているか否かを検出し、検出結果を出力する。
【００５６】
付加情報表示指令部２９ｃは、付加情報を表示画面２１ａに表示させる動作を制御する。付加情報表示指令部２９ｃは、作画装置２０の動作モードが付加モードであり、記憶部２５に付加情報が記憶されている場合、記憶された付加情報を表示画面２１ａに表示させる旨の指令を表示制御部２６に送信する。付加情報表示指令部２９ｃは、付加情報３の画像を表示画面２１ａに表示させる場合、画面情報２に重ねた状態で表示させる旨の指令を表示制御部２６に送信する。
【００５７】
付加情報処理部２９ｄは、作画装置２０の動作モードが付加モードである場合、入力部２２での入力結果に基づいて、付加情報の新規作成処理及び編集処理を行う作成編集用プログラムを起動させる。作成編集用プログラムは、新規に付加情報を作成する場合、付加情報である注釈の種類、注釈の内容、及び注釈を表示させる表示位置を含む情報を作成者に入力させ、付加情報の作成完了指示を作成者に入力させる内容とすることができるが、これに限定するものではなく、他の内容であってもよい。
【００５８】
また、作成編集用プログラムは、既存の付加情報を編集する場合、編集の対象となる付加情報、編集の種類、編集の内容、編集した注釈を表示させる表示位置を含む情報を作成者に入力させ、付加情報の編集完了指示を作成者に入力させる内容とすることができるが、これに限定するものではなく、他の内容であってもよい。作成編集用プログラムは、画面情報２を作成及び編集するためのプログラムの一部であってもよい。
【００５９】
作成編集用プログラムは、予め記憶部２５に記憶させておく。付加情報処理部２９ｄは、新規作成及び編集した付加情報を記憶部２５に記憶させる。付加情報３の編集は、付加情報３の変更及び削除を含む。付加情報処理部２９ｄは、付加情報３を変更した場合、変更された内容の付加情報３を既存の付加情報に上書きして記憶部２５に記憶させる。付加情報処理部２９ｄは、付加情報３を削除した場合、既存の付加情報を記憶部２５から消去させる。付加情報処理部２９ｄは、画面情報２と画面情報２に付加する付加情報３とを、１つのデータに結合した状態で記憶させてもよい。また、付加情報処理部２９ｄは、画面情報２に付加する付加情報３を、画面情報２の一部に含めた状態で記憶させてもよい。
【００６０】
表示制御部２６、入力制御部２７、通信制御部２８及び付加制御部２９の各機能は、制御部２４により実現される。制御部２４は、メモリに格納されるプログラムを実行するＣＰＵを備える制御回路であってもよいし、専用のハードウェアであってもよい。
【００６１】
図１７は、実施の形態２に係る制御部２４のハードウェア構成を示す図である。制御部２４は、図１７に示すように、ＣＰＵ２４Ａと、メモリ２４Ｂとを備える制御回路２４Ｃによって実現することができる。この場合、表示制御部２６、入力制御部２７、通信制御部２８及び付加制御部２９の機能は、ソフトウェア、ファームウェア、またはソフトウェアとファームウェアとの組み合わせにより実現される。ソフトウェアやファームウェアはプログラムとして記述され、メモリ２４Ｂに格納される。ＣＰＵ２４Ａは、メモリ２４Ｂに記憶されたプログラムを読み出して実行することにより、各部の機能を実現する。すなわち、メモリ２４Ｂは、ＣＰＵ２４Ａが、画面情報２を作成及び編集する作成モードと、付加情報３の画像を画面情報２の画像に重ねた状態で表示画面２１ａに表示させる付加モードとを行う動作が結果的に実行されることになるプログラムを格納する。メモリ２４Ｂは、記憶部２５を含む。ここで、メモリ２４Ｂとは、不揮発性又は揮発性の半導体メモリ、磁気ディスク、フレキシブルディスク、光ディスク、コンパクトディスク、ミニディスク及びＤＶＤ（Ｄｉｇｉｔａｌ  Ｖｅｒｓａｔｉｌｅ  Ｄｉｓｃ）のうち少なくとも１つが該当する。
【００６２】
図１８は、実施の形態２に係る制御部２４を専用のハードウェアで実現する場合のハードウェア構成を示す図である。制御部２４は、図１８に示す処理回路２４Ｄによって実現することもできる。処理回路２４Ｄは、単一回路、プログラム化したプロセッサー、並列プログラム化したプロセッサー、ＡＳＩＣ、ＦＰＧＡ、又はこれらを組み合わせたものが該当する。表示制御部２６、入力制御部２７、通信制御部２８及び付加制御部２９の各機能を個別の処理回路で実現してもよいし、各部の機能をまとめて処理回路２４Ｄで実現してもよい。
【００６３】
図１９は、実施の形態２に係る作画装置２０の動作を示すフローチャートである。作画装置２０を起動させ、画面情報２を作成するためのプログラムを起動させた場合、モード設定部２９ａは、作画装置２０の動作モードを作成モードに設定する。また、表示制御部２６は、画面情報２を作成するための作成情報を表示画面２１ａに表示させる（ステップＳ３１）。
【００６４】
図２０は、実施の形態２に係る作画装置２０の表示画面２１ａの表示内容を示す図である。図２０に示すように、作成モードでは、表示画面２１ａには、画面情報２の作成及び編集を行うための作成画面情報４が表示されている。作成画面情報４は、ヘッダ部４ａと、ツール選択部４ｂと、画面情報表示部４ｃとを有している。画面情報表示部４ｃは、画面情報２を表示する。画面情報表示部４ｃに表示される画面情報２には、操作用の画面データ２ａと、オブジェクトデータ２ｃとが含まれている。作成モードでは、表示画面２１ａには付加情報３が表示されていない状態となっている。
【００６５】
次に、図１９に示すように、モード設定部２９ａは、作成者により作画装置２０の動作モードを作成モードから付加モードに切り替える旨の操作情報が入力されたか否かを判断する（ステップＳ３２）。作画装置２０の動作モードを付加モードに切り替える旨の操作情報が入力されない場合（ステップＳ３２のＮｏ）、モード設定部２９ａは、入力があるまでステップＳ３２を繰り返し行う。
【００６６】
作画装置２０の動作モードを付加モードに切り替える旨の操作情報が入力された場合（ステップＳ３２のＹｅｓ）、モード設定部２９ａは、作画装置２０の動作モードを作成モードから付加モードに切り替える設定を行う（ステップＳ３３）。ステップＳ３３では、入力制御部２７は、画面情報２の作成又は編集のための情報を入力する機能を停止させる。この場合、入力部２２では、付加情報の表示、付加情報の新規作成、既存の付加情報の編集、及び動作モードの切り替えについての操作が可能となる。
【００６７】
作画装置２０の動作モードが付加モードに切り替わった場合、付加情報検出部２９ｂは、表示画面２１ａに表示された画面情報２に付加される付加情報３を検索キーに設定して記憶部２５を検索し、記憶部２５に付加情報３が記憶されているか否かを確認する（ステップＳ３４）。付加情報検出部２９ｂによって付加情報３が記憶部２５に記憶されていることが確認された場合（ステップＳ３４のＹｅｓ）、付加情報表示指令部２９ｃは、記憶部２５に記憶される付加情報３を表示画面２１ａに表示する旨の指令を表示制御部２６に出力する。表示制御部２６は、付加情報表示指令部２９ｃからの指令に基づいて、付加情報３を表示画面２１ａに表示させる（ステップＳ３５）。ステップＳ３５では、表示制御部２６は、付加情報３の位置情報に基づいて表示画面２１ａでの付加情報３の画像の表示位置を設定し、画面情報２に重ねた状態で表示させる。また、付加情報検出部２９ｂによって付加情報３が記憶部２５に記憶されていないと確認された場合（ステップＳ３４のＮｏ）、表示制御部２６は、ステップＳ３５の動作を省略する。
【００６８】
図２１は、実施の形態２に係る作画装置２０の表示画面２１ａの表示内容を示す図である。図２１に示すように、付加モードでは、表示画面２１ａには、画面情報２の作成及び編集を行うための作成画面情報４が表示されている。また、画面情報表示部４ｃは、画面情報２である画面データ２ａ及びオブジェクトデータ２ｃの画像と、付加情報３である注釈３ａ，３ｃの画像とが表示されている。
【００６９】
次に、付加情報検出部２９ｂは、図１９に示すように、付加情報３の画像が表示された場合、又は付加情報３が記憶部２５に記憶されていないと確認された場合には、新規に作成された付加情報３が記憶部２５に記憶されたか否か、及び既存の付加情報３が編集されたか否かを確認する（ステップＳ３６）。付加情報３が新規に作成された場合、及び既存の付加情報３が編集された場合の少なくとも一方の場合（ステップＳ３６のＹｅｓ）、付加情報表示指令部２９ｃは、新規に作成された付加情報３の画像及び編集された付加情報３の画像を表示画面２１ａに表示する旨の指令を表示制御部２６に出力する。表示制御部２６は、付加情報表示指令部２９ｃからの指令に基づいて、付加情報３の画像を表示画面２１ａに表示させる（ステップＳ３７）。ステップＳ３７により、作成結果及び編集結果が表示画面２１ａに反映される。なお、付加情報３を新規に作成する場合及び既存の付加情報３を編集する場合の手順については、実施の形態１と同様であるため、説明を省略する。
【００７０】
図２２は、実施の形態２に係る作画装置２０の表示画面２１ａの表示内容を示す図である。オブジェクトデータ２ｃの画像上に新規の付加情報である注釈３ｃを作成した場合、図２２に示すように、表示画面２１ａの画面情報表示部４ｃには、上記注釈３ａ，３ｃに加えて、新規に作成した注釈３ｃの画像がオブジェクトデータ２ｃの画像上に重ねた状態で表示される。
【００７１】
図２３は、実施の形態２に係る作画装置２０の表示画面２１ａの表示内容を示す図である。表示画面２１ａの画面情報表示部４ｃに表示された注釈３ａ，３ｃのうち、注釈３ａを変更し、注釈３ｃを削除した場合、図２３に示すように、表示画面２１ａの画面情報表示部４ｃには、変更された注釈３ａの画像が表示され、注釈３ｃが削除された状態で表示される。注釈３ｃが削除された場合、表示画面２１ａの画面情報表示部４ｃには、画面データ２ａの画像及びオブジェクトデータ２ｃの画像のうち注釈３ｃの画像に隠れていた部分が再び表示される。
【００７２】
次に、モード設定部２９ａは、図１９に示すように、新規に作成された付加情報３及び編集された付加情報３のいずれも確認されない場合（ステップＳ３６のＮｏ）、又は新規作成若しくは編集された付加情報３が表示された場合、付加モードを終了する旨の操作情報が入力部２２から入力されたか否かの判断を行う（ステップＳ３８）。付加モードを終了する旨の操作情報が入力されない場合（ステップＳ３８のＮｏ）、制御部２４は、ステップＳ３６以降の処理を繰り返し行う。
【００７３】
付加モードを終了する旨の操作情報が入力された場合（ステップＳ３８のＹｅｓ）、付加情報表示指令部２９ｃは、表示画面２１ａに表示されている付加情報３の画像を非表示にする旨の指令を表示制御部２６に出力する。表示制御部２６は、付加情報表示指令部２９ｃからの指令に基づいて、表示画面２１ａに表示されている付加情報３の画像を非表示にする（ステップＳ３９）。
【００７４】
付加情報３を非表示にした後、モード設定部２９ａは、作画装置２０の動作モードを付加モードから作成モードに切り替える設定を行う（ステップＳ４０）。ステップＳ４０では、入力制御部２７は、付加情報の表示、付加情報の新規作成及び既存の付加情報の編集についての操作情報を入力する機能を停止させる。また、入力制御部２７は、画面情報２を作成するための情報を入力する機能を使用可能とする。この場合、入力部２２では、画面情報２を作成するための情報を入力することが可能となる。
【００７５】
その後、作画装置２０を用いる他の作成者が動作モードを付加モードに切り替えた場合、上記によって新規作成又は編集された付加情報３が表示画面２１ａに表示される。他の作成者は、付加情報３を確認することにより、付加情報３を新規作成又は編集した作成者からの情報を知ることができる。
【００７６】
以上のように、実施の形態２に係る作画装置２０は、入力部２２で入力される操作情報に基づいて画面情報２を作成及び編集する作成モードと、付加情報３の画像を画面情報２の画像上に重ねた状態で表示画面２１ａに表示させる付加モードとを行う。このため、付加情報３が付加された状態の画像を表示画面２１ａに表示することが可能となる。したがって、作画装置２０を用いて画面情報２を作成する作成者が表示画面２１ａに表示される付加情報３を確認することにより、他の作成者からの情報が伝達される。これにより、作成者は、他の作成者に情報を伝達する場合、画像に注釈を書き加えた書類を作成する手間を省くことができるため、情報伝達に要する負担を低減化することが可能となる。
【００７７】
実施の形態３．
図２４は、実施の形態３に係る画面表示システム３０を示すブロック図である。図２４に示すように、画面表示システム３０は、実施の形態１に係るプログラマブル表示器１０と、実施の形態２に係る作画装置２０とを備えている。プログラマブル表示器１０及び作画装置２０は、画面情報２に付加される付加情報３の表示、生成及び編集が可能である。
【００７８】
図２５は、実施の形態３に係る画面表示システム３０の動作の流れを示す図である。図２５に示すように、プログラマブル表示器１０を操作する操作者が、プログラマブル表示器１０を起動させた場合、表示画面１１ａには画面情報２の画像が表示される。この状態から操作者が動作モードを操作モードから付加モードに切り替えて、付加情報３である注釈３ａを作成した場合、表示画面１１ａには注釈３ａの画像が表示される。また、記憶部１５には、画面情報２及び付加情報３である注釈３ａが記憶される。
【００７９】
画面情報２及び注釈３ａが通信部１３から作画装置２０に送信された場合、作画装置２０の記憶部２５には画面情報２及び注釈３ａが記憶される。画面情報２を作成する作成者が作画装置２０を起動させ、動作モードを作成モードから付加モードに切り替えた場合、表示画面２１ａの作成画面情報４には画面情報２の画像及び注釈３ａの画像が表示される。この状態から作成者が付加情報３である注釈３ａを編集し、新たな情報を追記した場合、表示画面２１ａには追記された状態の注釈３ａの画像が表示される。また、記憶部２５には、画面情報２及び追記された状態の注釈３ａが記憶される。
【００８０】
画面情報２及び追記された状態の注釈３ａが通信部２３からプログラマブル表示器１０に送信された場合、プログラマブル表示器１０の記憶部１５には画面情報２及び追記された状態の注釈３ａが記憶される。プログラマブル表示器１０の操作者が動作モードを付加モードにした場合、表示画面１１ａには画面情報２の画像及び追記された状態の注釈３ａの画像が表示される。
【００８１】
画面表示システム３０は、通信部１３と通信部２３とが接続されている状態で、付加情報３が新規に作成された場合又は既存の付加情報３が編集された後、付加モードを終了した場合に、プログラマブル表示器１０と作画装置２０との間で画面情報２及び付加情報３が送受信される設定としてもよい。また、画面表示システム３０は、通信部１３と通信部２３との間が接続されたことを検出した場合に、プログラマブル表示器１０と作画装置２０との間で画面情報２及び付加情報３が送受信される設定としてもよい。
【００８２】
このように、実施の形態３に係る画面表示システム３０は、プログラマブル表示器１０と作画装置２０との間で、画面情報２に付加する付加情報３を共有することができる。これにより、プログラマブル表示器１０の操作者と、作画装置２０を用いる作成者との間での情報の伝達を行う場合、画像に注釈を書き加えた書類を作成する手間を省くことができるため、情報伝達に要する負担を低減化することが可能となる。
【００８３】
上記実施の形態１から実施の形態３では、画面情報２である操作用の画面データ２ａが表示画面１１ａ及び表示画面２１ａに表示された場合について説明したが、これに限定するものではない。図２６及び図２７は、変形例に係るプログラマブル表示器１０の表示画面１１ａの表示内容を示す図である。
【００８４】
図２６に示すように、プログラマブル表示器１０は、設定用の画面データ２ｂが表示画面１１ａに表示された状態で動作モードを操作モードから付加モードに設定することが可能である。この場合、図２７に示すように、設定用の画面データ２ｂに重ねた状態で付加情報３である注釈３ｂが表示される。
【００８５】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００８６】
１  外部接続機器、２  画面情報、２ａ，２ｂ  画面データ、２ｃ  オブジェクトデータ、３  付加情報、３ａ，３ｂ，３ｃ  注釈、４  作成画面情報、４ａ  ヘッダ部、４ｂ  ツール選択部、４ｃ  画面情報表示部、１０  プログラマブル表示器、１１，２１  表示部、１１ａ，２１ａ  表示画面、１２，２２  入力部、１３，２３  通信部、１４，２４  制御部、１４Ａ，２４Ａ  ＣＰＵ、１４Ｂ，２４Ｂ  メモリ、１４Ｃ，２４Ｃ  制御回路、１４Ｄ，２４Ｄ  処理回路、１５，２５  記憶部、１６，２６  表示制御部、１７，２７  入力制御部、１８，２８  通信制御部、１９，２９  付加制御部、１９ｄ，２９ｄ  付加情報処理部、１９ａ，２９ａ  モード設定部、１９ｂ，２９ｂ  付加情報検出部、１９ｃ，２９ｃ  付加情報表示指令部、２０  作画装置、３０  画面表示システム。
【図１】
2017208454.tif 000003
【図２】
2017208454.tif 000004
【図３】
2017208454.tif 000005
【図４】
2017208454.tif 000006
【図５】
2017208454.tif 000007
【図６】
2017208454.tif 000008
【図７】
2017208454.tif 000009
【図８】
2017208454.tif 000010
【図９】
2017208454.tif 000011
【図１０】
2017208454.tif 000012
【図１１】
2017208454.tif 000013
【図１２】
2017208454.tif 000014
【図１３】
2017208454.tif 000015
【図１４】
2017208454.tif 000016
【図１５】
2017208454.tif 000017
【図１６】
2017208454.tif 000018
【図１７】
2017208454.tif 000019
【図１８】
2017208454.tif 000020
【図１９】
2017208454.tif 000021
【図２０】
2017208454.tif 000022
【図２１】
2017208454.tif 000023
【図２２】
2017208454.tif 000024
【図２３】
2017208454.tif 000025
【図２４】
2017208454.tif 000026
【図２５】
2017208454.tif 000027
【図２６】
2017208454.tif 000028
【図２７】
2017208454.tif 000029
【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
表示画面を有する表示部と、
外部接続機器、及び前記表示画面に表示させる画面情報を作成する作画装置と、通信するための通信部と、
前記外部接続機器を操作する操作情報と、前記画面情報について、作画装置の操作者と情報共有するための付加情報とを入力可能な入力部と、
前記画面情報の画像を前記表示画面に表示させ、前記入力部で入力される前記操作情報に基づいて前記外部接続機器を操作する操作モードと、前記付加情報の画像を前記画面情報に重ねた状態で前記表示画面に表示させる付加モードとを行う制御部と
を備え、
前記制御部は、前記付加モードで付加された付加情報を前記画面情報と共に前記通信部を介して前記作画装置に送信することを特徴とするプログラマブル表示器。
【請求項２】
前記制御部は、前記付加モードでは、予め前記画面情報に付加された前記付加情報の画像及び前記入力部で入力された前記付加情報の画像のうち少なくとも一方を前記表示画面に表示させる
ことを特徴とする請求項１に記載のプログラマブル表示器。
【請求項３】
前記制御部は、前記付加モードでは、前記入力部で入力された前記付加情報を新規に作成すること及び予め前記画面情報に付加された前記付加情報を編集することのうち少なくとも一方を行う
ことを特徴とする請求項１又は請求項２に記載のプログラマブル表示器。
【請求項４】
情報を記憶する記憶部をさらに備え、
前記記憶部は、前記画面情報と前記画面情報について付加された前記付加情報とを記憶する
ことを特徴とする請求項１から請求項３のいずれか一項に記載のプログラマブル表示器。
【請求項５】
請求項１から請求項４のいずれか一項に記載のプログラマブル表示器と、
前記プログラマブル表示器との間で互いに通信可能であり、前記表示画面に表示させる前記画面情報を作成する作画装置と、を備え、
前記作画装置は、
前記画面情報を表示可能な作画側表示画面を有する作画側表示部と、
前記付加情報の画像を前記画面情報に重ねた状態で前記作画側表示画面に表示させる作画側制御部と、を有する
ことを特徴とする画面表示システム。
【請求項６】
前記制御部は、前記付加モードでは、予め前記画面情報に付加された前記付加情報の画像、前記入力部で入力された前記付加情報の画像、及び前記作画装置から受信した前記画面情報に付加された前記付加情報の画像のうち少なくとも一方を前記表示画面に表示させる
ことを特徴とする請求項５に記載の画面表示システム。
【請求項７】
前記作画側制御部は、予め前記画面情報に付加された前記付加情報の画像及び前記プログラマブル表示器から受信した前記画面情報に付加された前記付加情報の画像のうち少なくとも一方を前記表示画面に表示させる
ことを特徴とする請求項５又は請求項６に記載の画面表示システム。
【請求項８】
表示画面を有する表示部と、
外部接続機器、及び前記表示画面に表示させる画面情報を作成する作画装置と、通信するための通信部と、
前記外部接続機器を操作する操作情報と、前記画面情報について、作画装置の操作者と情報共有するための付加情報とを入力可能な入力部と、を備えるプログラマブル表示器の制御方法であって、
前記画面情報の画像を前記表示画面に表示させ、前記入力部で入力される前記操作情報に基づいて前記外部接続機器を操作することと、
前記付加情報の画像を前記画面情報に重ねた状態で前記表示画面に表示させることと、
を含み、
前記付加モードで付加された付加情報を前記画面情報と共に前記通信部を介して前記作画装置に送信することを特徴とするプログラマブル表示器の制御方法。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
表示画面を有する表示部と、
外部接続機器及び前記表示画面に表示させる画面情報を作成する作画装置と通信するための通信部と、
前記外部接続機器を操作する操作情報と、前記画面情報について、前記作画装置の操作者と情報共有するための付加情報とを入力可能な入力部と、
情報を記憶する記憶部と、
前記画面情報の画像を前記表示画面に表示させ、前記入力部で入力される前記操作情報に基づいて前記外部接続機器を操作する操作モードと、前記記憶部に前記付加情報が記憶されているか否かを確認し、前記付加情報が記憶されていることが確認された場合に、前記記憶部に記憶された前記付加情報の画像を前記画面情報に重ねた状態で前記表示画面に表示させる付加モードとを行う制御部と
を備え、
前記制御部は、前記付加モードで付加された付加情報を前記画面情報と共に前記通信部を介して前記作画装置に送信することを特徴とするプログラマブル表示器。
【請求項２】
前記制御部は、前記付加モードでは、予め前記画面情報に付加された前記付加情報の画像及び前記入力部で入力された前記付加情報の画像のうち少なくとも一方を前記表示画面に表示させる
ことを特徴とする請求項１に記載のプログラマブル表示器。
【請求項３】
前記制御部は、前記付加モードでは、前記入力部で入力された前記付加情報を新規に作成すること及び予め前記画面情報に付加された前記付加情報を編集することのうち少なくとも一方を行う
ことを特徴とする請求項１又は請求項２に記載のプログラマブル表示器。
【請求項４】
前記付加情報は、前記画面情報の作成者から当該プログラマブル表示器の操作者への作業手順の説明についての情報と、当該プログラマブル表示器の操作者から前記画面情報の作成者への前記画面情報の改善要望についての情報と、前記画面情報の作成者から他の作成者への注意点についての情報と、当該プログラマブル表示器の操作者から他の操作者への注意点についての情報と、のうち少なくとも１つの情報を含む
ことを特徴とする請求項１から請求項３のいずれか一項に記載のプログラマブル表示器。
【請求項５】
請求項１から請求項４のいずれか一項に記載のプログラマブル表示器と、
前記プログラマブル表示器との間で互いに通信可能であり、前記表示画面に表示させる前記画面情報を作成する作画装置と、を備え、
前記作画装置は、
前記画面情報を表示可能な作画側表示画面を有する作画側表示部と、
前記付加情報の画像を前記画面情報に重ねた状態で前記作画側表示画面に表示させる作画側制御部と、を有する
ことを特徴とする画面表示システム。
【請求項６】
前記制御部は、前記付加モードでは、予め前記画面情報に付加された前記付加情報の画像、前記入力部で入力された前記付加情報の画像、及び前記作画装置から受信した前記画面情報に付加された前記付加情報の画像のうち少なくとも一方を前記表示画面に表示させる
ことを特徴とする請求項５に記載の画面表示システム。
【請求項７】
前記作画側制御部は、予め前記画面情報に付加された前記付加情報の画像及び前記プログラマブル表示器から受信した前記画面情報に付加された前記付加情報の画像のうち少なくとも一方を前記表示画面に表示させる
ことを特徴とする請求項５又は請求項６に記載の画面表示システム。
【請求項８】
表示画面を有する表示部と、
外部接続機器及び前記表示画面に表示させる画面情報を作成する作画装置と通信するための通信部と、
前記外部接続機器を操作する操作情報と、前記画面情報について、前記作画装置の操作者と情報共有するための付加情報とを入力可能な入力部と、
情報を記憶する記憶部と、を備えるプログラマブル表示器の制御方法であって、
前記画面情報の画像を前記表示画面に表示させ、前記入力部で入力される前記操作情報に基づいて前記外部接続機器を操作することと、
前記記憶部に前記付加情報が記憶されているか否かを確認し、前記付加情報が記憶されていることが確認された場合に、前記記憶部に記憶された前記付加情報の画像を前記画面情報に重ねた状態で前記表示画面に表示させることと、
を含み、
前記画面情報に付加された付加情報を前記画面情報と共に前記通信部を介して前記作画装置に送信することを特徴とするプログラマブル表示器の制御方法。
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
表示画面を有する表示部と、
外部接続機器、及び前記表示画面に表示させる画面情報を作成する作画装置と通信するための通信部と、
前記外部接続機器を操作する操作情報と、前記画面情報の操作手順、前記画面情報の作成者に対しての前記画面情報についての改善要望、前記画面情報についての注意点のいずれかを含む、前記作画装置の操作者と情報共有するための付加情報とを入力可能な入力部と、
情報を記憶する記憶部と、
前記画面情報の画像を前記表示画面に表示させ、前記入力部で入力される前記操作情報に基づいて前記外部接続機器を操作する操作モードと、前記記憶部に記憶された前記付加情報の画像を前記画面情報に重ねた状態で前記表示画面に表示させる付加モードとの切り替え制御を行う制御部とを備え、
前記制御部により、動作モードが前記操作モードに切り替えられた際には、前記入力部で入力される前記操作情報に基づいて前記外部接続機器を操作させ、
動作モードが前記付加モードに切り替えられた際には、前記記憶部に前記付加情報が記憶されているか否かを確認し、前記付加情報が記憶されていることが確認された場合に、前記付加情報を表示させるとともに、前記入力部で入力される前記付加情報を前記画面情報と対応付けて前記記憶部に記憶し、前記通信部を介して前記作画装置に送信する
ことを特徴とするプログラマブル表示器。
【請求項２】
前記制御部は、前記付加モードでは、予め前記画面情報に付加された前記付加情報の画像及び前記入力部で入力された前記付加情報の画像のうち少なくとも一方を前記表示画面に表示させる
ことを特徴とする請求項１に記載のプログラマブル表示器。
【請求項３】
前記制御部は、前記付加モードでは、前記入力部で入力された前記付加情報を新規に作成すること及び予め前記画面情報に付加された前記付加情報を編集することのうち少なくとも一方を行う
ことを特徴とする請求項１又は請求項２に記載のプログラマブル表示器。
【請求項４】
請求項１から請求項３のいずれか一項に記載のプログラマブル表示器と、
前記プログラマブル表示器との間で互いに通信可能であり、前記表示画面に表示させる前記画面情報を作成する作画装置と、を備え、
前記作画装置は、
前記画面情報を表示可能な作画側表示画面を有する作画側表示部と、
前記付加情報の画像を前記画面情報に重ねた状態で前記作画側表示画面に表示させる作画側制御部と、を有する
ことを特徴とする画面表示システム。
【請求項５】
前記制御部は、前記付加モードでは、予め前記画面情報に付加された前記付加情報の画像、前記入力部で入力された前記付加情報の画像、及び前記作画装置から受信した前記画面情報に付加された前記付加情報の画像のうち少なくとも一つを前記表示画面に表示させる
ことを特徴とする請求項４に記載の画面表示システム。
【請求項６】
前記作画側制御部は、予め前記画面情報に付加された前記付加情報の画像及び前記プログラマブル表示器から受信した前記画面情報に付加された前記付加情報の画像のうち少なくとも一方を前記表示画面に表示させる
ことを特徴とする請求項４又は請求項５に記載の画面表示システム。
【請求項７】
表示画面を有する表示部と、
外部接続機器、及び前記表示画面に表示させる画面情報を作成する作画装置と通信するための通信部と、
前記外部接続機器を操作する操作情報と、前記画面情報の操作手順、前記画面情報の作成者に対しての前記画面情報についての改善要望、前記画面情報についての注意点のいずれかを含む、前記作画装置の操作者と情報共有するための付加情報とを入力可能な入力部と、
情報を記憶する記憶部と、を備えるプログラマブル表示器の制御方法であって、
前記画面情報の画像を前記表示画面に表示させ、前記入力部で入力される前記操作情報に基づいて前記外部接続機器を操作する操作モードと、前記記憶部に記憶された前記付加情報の画像を前記画面情報に重ねた状態で前記表示画面に表示させる付加モードとの切り替え制御を行うこと、
を含み、
動作モードが前記操作モードに切り替えられた際には、前記入力部で入力される前記操作情報に基づいて前記外部接続機器を操作させ、
動作モードが前記付加モードに切り替えられた際には、前記記憶部に前記付加情報が記憶されているか否かを確認し、前記付加情報が記憶されていることが確認された場合に、前記付加情報を表示させるとともに、前記入力部で入力される前記付加情報を前記画面情報と対応付けて前記記憶部に記憶し、前記通信部を介して前記作画装置に送信する
ことを特徴とするプログラマブル表示器の制御方法。
【国際調査報告】
2017208454.tif 000030
2017208454.tif 000031
2017208454.tif 000032